(57)【要約】【課題】  電飾装置の設計の自由度が高い遊技機の提供を目的とする。【解決手段】  本発明の遊技機１０によれば、ＬＥＤ３７Ａと電飾用透光部材３３Ａとの間に、基板カバー３６及び補強カバー３５を設けても、ＬＥＤ３７Ａの光はそれらカバー３５，３６に貫通形成された第１光通過孔３６Ａ及び第２光通過孔３５Ａの内部空間を通るので、カバー３５，３６を透過することによるＬＥＤ３７Ａの光の強度低下が生じない。換言すれば、ＬＥＤ３７の光の強度低下を回避しつつ、ＬＥＤ３７と電飾用透光部材３３Ａとの間に、前側固定ベース３４を補強する補強カバー３５や、ＬＥＤ基板３７を保護する基板カバー３６を設けることができるので、電飾装置としての表示枠体３０の設計の自由度が高まる。【選択図】  図１０
2006320371.tif 000002
【特許請求の範囲】
【請求項１】
発光素子を実装した制御基板と、
前記制御基板の前方を覆った第１カバー体と、
前記第１カバー体のうち、前記発光素子との対向部分に貫通成形された第１光通過孔と、
前記第１カバー体の前方に重ねて設けられた第２カバー体と、
前記第２カバー体のうち前記第１光通過孔と対向した部分に貫通成形された第２光通過孔と、
前記第２カバー体の前方に重ねて設けられ、前記第２光通過孔の前方を覆った電飾用透光部材とを少なくとも備えて構成された電飾装置を有したことを特徴とする遊技機。
【請求項２】
前記発光素子と前記電飾用透光部材との間に、前記第１光通過孔及び前記第２光通過孔の同軸上に延びかつ空間のみからなる光路を設けたことを特徴とする請求項１に記載の遊技機。
【請求項３】
前記第１カバー体は、前記制御基板の前面全体を覆って保護する形状をなしたことを特徴とする請求項１又は２に記載の遊技機。
【請求項４】
前記制御基板の後面に制御基板取付台板を配置し、
前記制御基板取付台板に前記第１カバー体を取り付けたことを特徴とする請求項１乃至３の何れかに記載の遊技機。
【請求項５】
前面に前記電飾用透光部材が取り付けられかつ後面に前記第２カバー体が取り付けられて、その第２カバー体によって補強された電飾用透光部材取付台板を設けたことを特徴とする請求項１乃至４の何れかに記載の遊技機。
【請求項６】
前記電飾用透光部材取付台板及び前記第２カバー体は、それぞれ前後方向に貫通した開口部を備え、これら開口部同士が少なくとも一部で重なるように、前記第２カバー体が取り付けられことを特徴とする請求項５に記載の遊技機。
【請求項７】
前記第２カバー体の後方には、遊技状態を表示する表示領域を有する表示装置が設けられ、遊技機の前方から前記開口部を通じて前記表示領域の少なくとも一部を視認可能としたことを特徴とする請求項６に記載の遊技機。
【請求項８】
前記開口部を囲む複数の開口内側壁を備え、
前記開口内側壁の少なくとも一部を前記第２カバー体の一部で構成したことを特徴とする請求項６又は７に記載の遊技機。
【請求項９】
前記第１光通過孔及び前記第２光通過孔を複数設け、それら複数の第１光通過孔及び第２光通過孔を、前記電飾用透光部材との対向領域全体に亘って散在させたことを特徴とする請求項１乃至８の何れかに記載の遊技機。
【請求項１０】
前記制御基板には、複数の前記発光素子が実装され、１つの前記第１光通過孔とその第１光通過孔に対向する１つの前記第２光通過孔とが１つの前記発光素子にのみ対向するように構成されたことを特徴とする請求項９に記載の遊技機。
【請求項１１】
前記第２光通過孔を前記第１光通過孔以上に大きくしたことを特徴とする請求項１乃至１０の何れかに記載の遊技機。
【請求項１２】
前記第１カバー体及び前記第２カバー体を透明部材で構成したことを特徴とする請求項１乃至１１の何れかに記載の遊技機。
【発明の詳細な説明】
【技術分野】
【０００１】
本発明は、発光素子を実装した制御基板と電飾用透光部材とを備えた電飾装置を有する遊技機に関する。
【背景技術】
【０００２】
従来の遊技機に備えられた電飾装置は、図１１に示すように、固定板１と制御基板２とを一体的に固定して発光素子固定部３を構成し、その発光素子固定部３の前面に複数の発光素子４を露出させ、さらに、その発光素子固定部３の前面を電飾用透光部材５で覆うように固定した構造であった（例えば、特許文献１参照）。
【特許文献１】実開平６−２６９７５号公報（段落［００１５］、第１図）
【発明の開示】
【発明が解決しようとする課題】
【０００３】
ところで、電飾装置の大型化及び煩雑化に伴い、電飾用透光部材５を補強用のカバー体に固定してから発光素子固定部３に固定する構成や、或いは、電飾用透光部材５と発光素子４群との間に複数のカバー体を配置し、各カバー体毎にサブアッシ化した構成等が検討されている。しかしながら、発光素子４からの光を電飾用透光部材５に照射するために、カバー体を、単に透明な部材としただけでは、カバー体を透過する間に光の強度が低下し得る。このため、従来は、発光素子４と電飾用透光部材５との間にはカバー体を設けることが困難であり、設計の自由度が低くなっていた。
【０００４】
本発明は上記事情に鑑みてなされ、電飾装置の設計の自由度が高い遊技機の提供を目的とする。
【課題を解決するための手段】
【０００５】
上記目的を達成するためになされた請求項１の発明に係る遊技機は、発光素子を実装した制御基板と、制御基板の前方を覆った第１カバー体と、第１カバー体のうち、発光素子との対向部分に貫通成形された第１光通過孔と、第１カバー体の前方に重ねて設けられた第２カバー体と、第２カバー体のうち第１光通過孔と対向した部分に貫通成形された第２光通過孔と、第２カバー体の前方に重ねて設けられ、第２光通過孔の前方を覆った電飾用透光部材とを少なくとも備えて構成された電飾装置を有したところに特徴を有する。
【０００６】
請求項２の発明は、請求項１に記載の遊技機において、発光素子と電飾用透光部材との間に、第１光通過孔及び第２光通過孔の同軸上に延びかつ空間のみからなる光路を設けたところに特徴を有する。
【０００７】
請求項３の発明は、請求項１又は２に記載の遊技機において、第１カバー体は、制御基板の前面全体を覆って保護する形状をなしたところに特徴を有する。
【０００８】
請求項４の発明は、請求項１乃至３の何れかに記載の遊技機において、制御基板の後面に制御基板取付台板を配置し、制御基板取付台板に第１カバー体を取り付けたところに特徴を有する。
【０００９】
請求項５の発明は、請求項１乃至４の何れかに記載の遊技機において、前面に電飾用透光部材が取り付けられかつ後面に第２カバー体が取り付けられて、その第２カバー体によって補強された電飾用透光部材取付台板を設けたところに特徴を有する。
【００１０】
請求項６の発明は、請求項５に記載の遊技機において、電飾用透光部材取付台板及び第２カバー体は、それぞれ前後方向に貫通した開口部を備え、これら開口部同士が少なくとも一部で重なるように、第２カバー体が取り付けられたところに特徴を有する。
【００１１】
請求項７の発明は、請求項６に記載の遊技機において、第２カバー体の後方には、遊技状態を表示する表示領域を有する表示装置が設けられ、遊技機の前方から開口部を通じて表示領域の少なくとも一部を視認可能としたところに特徴を有する。
【００１２】
請求項８の発明は、請求項６又は７に記載の遊技機において、開口部を囲む複数の開口内側壁を備え、開口内側壁の少なくとも一部を第２カバー体の一部で構成したところに特徴を有する。
【００１３】
請求項９の発明は、請求項１乃至８の何れかに記載の遊技機において、第１光通過孔及び第２光通過孔を複数設け、それら複数の第１光通過孔及び第２光通過孔を、電飾用透光部材との対向領域全体に亘って散在させたところに特徴を有する。
【００１４】
請求項１０の発明は、請求項９に記載の遊技機において、制御基板には、複数の発光素子が実装され、１つの第１光通過孔とその第１光通過孔に対向する１つの第２光通過孔とが１つの発光素子にのみ対向するように構成されたところに特徴を有する。
【００１５】
請求項１１の発明は、請求項１乃至１０の何れかに記載の遊技機において、第２光通過孔を第１光通過孔以上に大きくしたところに特徴を有する。
【００１６】
請求項１２の発明は、請求項１乃至１１の何れかに記載の遊技機において、第１カバー体及び第２カバー体を透明部材で構成したところに特徴を有する。
【発明の効果】
【００１７】
［請求項１の発明］
請求項１の遊技機によれば、発光素子を実装した制御基板の前方に第１カバー体及び第２カバー体を重ねたときに、発光素子の光が第１光通過孔及び第２光通過孔を通過するようにしたので、従来のように光が第１カバー体及び第２カバー体を透過することによる光の強度低下を防止できる。即ち、光の強度低下を防止しつつ発光素子と電飾用透光部材との間に第１カバー体及び第２カバー体を配置することができ、電飾装置の設計の自由度が高まる。
【００１８】
［請求項２の発明］
請求項２の遊技機によれば、発光素子の光は電飾用透光部材に到達するまでに他の部材を透過せず、直接、電飾用透光部材に照射される。これにより、電飾用透光部材に到達するまでに光が他の部材を透過する構成に比較して、電飾用透光部材に照射される光の強度を高めることができる。
【００１９】
［請求項３の発明］
請求項３の遊技機によれば、第１カバー体が制御基板の前面全体を覆っているので、制御基板を保護することができる。
【００２０】
［請求項４の発明］
請求項４の遊技機によれば、制御基板取付台板に制御基板及び第１カバー体を組み付けてサブアッシ化することができる。
【００２１】
［請求項５の発明］
請求項５の遊技機によれば、電飾用透光部材取付台板に電飾用透光部材及び第２カバー体を組み付けてサブアッシ化することができる。また、電飾用透光部材取付台板を第２カバー体で補強することができる。
【００２２】
［請求項６の発明］
請求項６の遊技機によれば、電飾用透光部材取付台板に第２カバー体を取り付けると、電飾用透光部材取付台板及び第２カバー体に貫通形成された両開口部が遊技機の前後方向で連通する。
【００２３】
［請求項７の発明］
請求項７の遊技機によれば、遊技機の前方から電飾用透光部材取付台板及び第２カバー体の両開口部を通して、表示装置の表示領域の少なくとも一部を視認することができる。
【００２４】
［請求項８の発明］
請求項８に遊技機によれば、開口内側壁の少なくとも一部を第２カバー体の一部で構成することができる。
【００２５】
［請求項９の発明］
請求項９の遊技機によれば、発光素子の光を電飾用透光部材のほぼ全体に照射することができるので、電飾用透光部材の全体を光らせることができる。
【００２６】
［請求項１０の発明］
請求項１０の発明によれば、第１光通過孔と第２光通過孔は、光が通過するための最小限の大きさとすることができる。
【００２７】
［請求項１１の発明］
請求項１１の遊技機によれば、第１カバー体と第２カバー体とが正規の位置から若干外れて取り付けられた場合であっても第１光通過孔と第２光通過孔とが連通し、光をこれら第１光通過孔と第２光通過孔とに通過させることができる。
【００２８】
［請求項１２の発明］
請求項１２の遊技機によれば、第１カバー体及び第２カバー体を透過することによる光の強度低下を比較的少なくすることができる。
【発明を実施するための最良の形態】
【００２９】
以下、本発明を適用したパチンコ遊技機１０（以下、「遊技機１０」という）に係る一実施形態を、図１〜図１０に基づいて説明する。図１に示すように、遊技盤１１の前面には、ガイドレール１２で囲まれたほぼ円形の遊技領域Ｒ１が形成されている。遊技領域Ｒ１のほぼ中央部には、液晶表示役物１３が設けられ、液晶表示役物１３の下方には、始動入賞口１４、大入賞口１５及びアウト口１６が、上から順に間隔を開けて並べて設けられている。また、遊技領域Ｒ１のうち液晶表示役物１３を挟んだ左右の両側には風車１７が設けられ、始動入賞口１４を挟んだ左右両側には、始動ゲート１８が設けられている。また、ガイドレール１２に沿った両側部にはサイド入賞口２０，２１とサイドランプ２２，２２とが設けられている。さらに、これら入賞口等以外に、遊技領域Ｒ１には、図示しない複数の釘が起立している。
【００３０】
図１に示すように、遊技機１０の前面には、遊技盤１１の上方及び側方を囲むように前方に膨出した装飾ランプ９６が設けられている。また、遊技機１０の前面で、遊技盤１１よりも下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａの上面には、上皿２７Ａから下皿２７Ｂに遊技球を移動するためのボタン２９が設けられ、上皿２７Ａの左右両側には、１対のスピーカ５９Ｓ，５９Ｓが備えられている。
【００３１】
図１に示すように、遊技機１０の左側部には、プリペイドカードユニット９９が備えられている。プリペイドカードユニット９９には、カード挿入口９９Ｓが設けられ、このカード挿入口９９Ｓに、予め購入したプリペイドカードを挿入して、球貸しボタン９９Ｂを押すと、所定数の遊技球が上皿２７Ａに払い出される。
【００３２】
所要の各部位についてさらに詳説する。
上側サイド入賞口２０及び下側サイド入賞口２１は、共に遊技球が１つ入賞可能な開口幅をなして上方に開放されている。
【００３３】
始動ゲート１８は、遊技球が潜って通過可能な門形構造をなし、通過した遊技球は、その始動ゲート１８に内蔵した普通図柄始動スイッチによって検出される。そして、その検出信号に基づいて、普通図柄が変動表示される。
【００３４】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が１つ入る大きさになっている。そして、遊技盤１１の裏に設けたソレノイドが駆動されると、可動翼片１４Ｃ，１４Ｃが横に倒され、多くの遊技球が可動翼片１４Ｃに案内されて始動入賞口１４に入り得る状態になる。
【００３５】
始動入賞口１４に遊技球が入賞すると、始動入賞口１４内に設けた特別図柄始動スイッチが遊技球を検出し、液晶表示役物１３において後述するように図柄が変動表示する。
【００３６】
大入賞口１５は、横長に形成されて、常には、可動扉１５Ｔにて閉塞されている。そして、遊技機１０が「大当たり状態」になると、遊技盤１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。大入賞口１５に遊技球が入賞すると、大入賞口１５内に設けた検出スイッチが遊技球を検出し、その検出信号に基づいて、例えば、１５個の遊技球が賞球として払い出される。そして、終了条件が成立（例えば、可動扉１５Ｔの開放時間が２９秒に達したか、又は、大入賞口１５に遊技球が１０個入賞したか）すると、可動扉１５Ｔが遊技盤１１側に回動して大入賞口１５を閉塞する。
【００３７】
液晶表示役物１３は、遊技盤１１に貫通形成された遊技盤開口部（図示せず）に対し、遊技盤１１を前後から挟むように取り付けられた枠形構造の表示枠体３０（図１を参照）と、表示枠体３０の後面側に取り付けられた液晶モジュール１００（本発明の「表示装置」に相当する）とで構成されている。そして、遊技者は、遊技機１０の前側から、表示枠体３０の表示窓３０Ｗを通して、液晶モジュール１００に備えた液晶表示盤の表示画面１０１（本発明の「表示領域」に相当する）を見ることができる。
【００３８】
表示画面１０１の中央部分には、通常は、３つの左、中、右の特別図柄が、横並びに表示されている。これら各特別図柄は、例えば、「０」〜「１１」の数字を表記した複数種類のもので構成されており、通常は、各特別図柄ごと、所定の種類のものが、表示画面１０１に確定表示されている。そして、始動入賞口１４に遊技球が入賞したときに当否判定され、各特別図柄が、例えば、上下方向にスクロールして変動表示され、所定時間後に、例えば、左、中、右の順で各特別図柄が停止表示される。このとき、例えば、当否判定の結果が当たりで全ての特別図柄が同じ図柄、即ち、ぞろ目になった場合に、遊技が「大当たり状態」になり、可動扉１５Ｔが開かれる。
【００３９】
また、各特別図柄が変動表示している間に、或いは、大当たり状態で、始動入賞口１４に遊技球が入球した場合には、その入球に基づく特別図柄の変動表示が最大で４回まで保留される。そして、液晶表示役物１３において特別図柄の変動表示が開始されるときに、この保留回数が１つ減らされて、保留数が０になるまでこの動作が繰り返される。変動表示の保留回数は、例えば、表示枠体３０の上辺に内蔵された計４つのＬＥＤ（図示せず）の点灯数でもって遊技者に報知される。
【００４０】
表示画面１０１の一部分（例えば、左下隅部分）には、図示しないが、普通図柄が表示されている。普通図柄は、例えば、「０」〜「９」の数字を表記した複数種類のもので構成されている。そして、始動ゲート１８内に設けた普通図柄始動スイッチが遊技球の通過を検出したときに当否判定され、普通図柄が「０」〜「９」までの数字を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。なお、普通図柄は、数字に限るものではなく、アルファベットや記号等でもよい。また、表示画面１０１には、上記した特別図柄や普通図柄の他にも、遊技状態に応じた演出画像が表示される。
【００４１】
図２に示すように、遊技機１０の後面には、液晶表示役物１３に備えた液晶モジュール１００が備えられている。液晶モジュール１００の下側には、遊技機１０に備えられた発光素子を駆動制御する発光制御装置５２と、スピーカ５９Ｓを駆動制御する音声制御装置５０とが横並びにして取り付けられている。そして、これら発光制御装置５２、音声制御装置５０及び液晶モジュール１００の後側に重なるようにして、遊技機１０の全体の制御を行う主制御装置５１が取り付けられている。これら各制御装置５０〜５２は、電気基板を主要部として備え、それぞれ透明な樹脂ケースに収容されている。なお、液晶モジュール１００は、液晶表示盤と液晶表示盤を駆動制御する表示制御基板とを一体に備えてなる。
【００４２】
さらに、遊技機１０の後面の所定箇所には、上記した各種制御装置５０〜５２の他に電源装置５３、払出制御装置５４、受電装置５５や、遊技球を貯留する遊技球タンク５６、遊技球を払い出す払出装置５７、遊技球を遊技領域Ｒ１に向けて発射するための発射装置５８等が設けられている。なお、受電装置５５からは電源コード５５Ｃが延びており、この電源コード５５Ｃが、パチンコホールに備えたＡＣ２４Ｖ電源に接続されている。
【００４３】
ところで、本実施形態において、液晶表示役物１３に備えた表示枠体３０は、本発明の「電飾装置」に相当する。以下、表示枠体３０について詳説する。図９に示すように、表示枠体３０は、その中央部からやや左下方にずれた位置に横長矩形の表示窓３０Ｗが偏在している。表示枠体３０の右側辺部分には、後述する電動役物（図示せず）が備えられている。電動役物は、ねじ等の固定部材により表示枠体３０に一体に取り付けられている。
【００４４】
表示枠体３０の上辺と両側辺部分は、遊技盤１１の前面よりも前方に突出している。これにより、表示画面１０１の前側を遊技球が横切って落下することが規制されると共に、表示枠体３０の上方及び側方から表示枠体３０で囲まれた内側領域に遊技球が進入に難くなっている。
【００４５】
表示枠体３０の下辺部分には、遊技球が上面を遊転可能な上側ステージ３４Ｊと下側ステージ３４Ｓとが上下２段に形成されている。これらステージ３４Ｊ，３４Ｓは、表示画面１０１よりも前側（図３における紙面手前側）でかつ、表示窓３０Ｗの窓枠下辺部よりも段付き状に低い位置に設けられている。表示枠体３０の左側辺の内部には、表示枠体３０の外側と内側とを連通した遊技球転入路が形成されている。遊技球は、表示枠体３０の左側辺に斜め上方を向いて開放した入球口から遊技球転入路を通過して表示枠体３０の内側に開放した出球口３０Ｓから上側ステージ３４Ｊに案内されるようになっている。
【００４６】
下側ステージ３４Ｓ及び上側ステージ３４Ｊについて詳説する。図３に示すように、下側ステージ３４Ｓは、表示枠体３０の左右両側辺を繋ぐように延びており、左右の両端部から中央部に向かって下るように傾斜している。下側ステージ３４Ｓの中央部は前方に向かって下っている。また、下側ステージ３４Ｓの左右両端の前端縁には落下防止壁が形成されており、遊技球が下側ステージ３４Ｓの中央部以外の位置から表示枠体３０の下方に流下することが防止されている。なお、図１に示すように、下側ステージ３４Ｓの中央部の真下位置には、始動入賞口１４が配置されており、下側ステージ３４Ｓの中央部から下方へ流下した遊技球については始動入賞口１４へ入賞し易く、下側ステージ３４Ｓの中央部からずれた位置から流下した遊技球については入賞し難くなっている。
【００４７】
一方、上側ステージ３４Ｊは、下側ステージ３４Ｓよりも表示枠体３０の奥側（図３における紙面奥側）に設けられかつ段付状に下側ステージ３４Ｓよりも高くなっている。上側ステージ３４Ｊも、下側ステージ３４Ｓと同様に、表示枠体３０の左右両側辺を繋ぐように形成されている。上側ステージ３４Ｊは、両端部から中央部に向かって下方に傾斜する一方、上側ステージ３４Ｊの中央部（下側ステージ３４Ｓの中央部の奥側部分）には、山形に隆起した隆起部３４Ｒが形成されている。そして、上側ステージ３４Ｊの左右両端部と隆起部３４Ｒとの間に形成された谷部３４Ｔ，３４Ｔは、前方に向かって下っている。さらに、上側ステージ３４Ｊのうち、谷部３４Ｔ，３４Ｔ以外の前端縁には落下防止壁が形成されている。つまり、上側ステージ３４Ｊ上を転動する遊技球は、谷部３４Ｔから下側ステージ３４Ｓへ落下するようになっている。
【００４８】
ここで、上側ステージ３４Ｊと下側ステージと３４Ｓの間にはワープ路Ｗｐが設けられている。具体的には、上側ステージ３４Ｊの隆起部３４Ｒの後方には、表示窓３０Ｗの窓枠下辺部を構成する壁体ｈ１（本発明の「開口内側壁」に相当する）を陥没形成してなる縦孔部３５Ｍが設けられ、隆起部３４Ｒの真下部分には、遊技機１０の前後方向に貫通して、奥部で縦孔部３５Ｍと連通した横孔部３４Ｍが形成されている。これら縦孔部３５Ｍと横孔部３４Ｍとによりワープ路Ｗｐが形成されている。
【００４９】
隆起部３４Ｒの上面は、縦孔部３５Ｍに向かって下っており、上側ステージ３４Ｊ上を転動する遊技球の一部は、隆起部３４Ｒからワープ路Ｗｐに転入する。ワープ路Ｗｐに転入した遊技球は、縦孔部３５Ｍを落下した後で横孔部３４Ｍを前方に向かって転がって、下側ステージ３４Ｓの中央部へ案内される。なお、横孔部３４Ｍの内部には、前方に向かって傾斜したレール３５Ｅが設けられており、遊技球はレール３５Ｅによって確実にワープ路Ｗｐから排出されるようになっている。即ち、ワープ路Ｗｐにおける球詰まりが防止されている。
【００５０】
なお、表示窓３０Ｗの窓枠下辺部を構成する壁体ｈ１は、無色透明な透光性樹脂で構成されている。壁体ｈ１の下方には複数のＬＥＤ３８Ｌが備えられ、これらＬＥＤ３８Ｌの光が壁体ｈ１を透過して表示枠体３０の内側領域に照射されるようになっている。
【００５１】
ところで、表示枠体３０は複数の部材を互いに組み付けてなる。具体的には、表示枠体３０は、図３及び図４に示すように、後側構成体３２と前側構成体３１とに分割することができ、これら各構成体３１，３２を重ねた状態に固定してアッシ化されている。即ち、ここでいうアッシ化とは、後側構成体３２と前側構成体３１とを組み付けて表示枠体３０を構成することをいう。後側構成体３２は、遊技盤１１の後面側に固定される一方、前側構成体３１は、遊技盤１１の前面側に固定されている。つまり、表示枠体３０は、前側構成体３１と後側構成体３２とで遊技盤１１を前後方向（遊技盤１１の板厚方向）から挟んで遊技盤１１に取り付けられている。
【００５２】
まず、後側構成体３２について主に図５，図６，図８を用いて説明する。後側構成体３２は、基板カバー３６（本発明の「第１カバー体」に相当する）、ＬＥＤ基板３７（本発明の「発光素子を実装した制御基板」に相当する）、基板取付台板３８（本発明の「制御基板取付台板」に相当する）及び後側固定ベース３９から構成され、これら各部材を遊技機１０の前後方向に重ねて組み付けて形成されている。即ち、基板取付台板３８、ＬＥＤ基板３７、及び、基板カバー３６によって形成されたサブアッシが、後側構成体３２の少なくとも一部を構成している。
【００５３】
後側固定ベース３９は、例えば、透明な合成樹脂（具体的には、ポリカーボネート樹脂）で形成され、図５に示すように全体として横長の枠形構造をなしている。詳細には、後側固定ベース３９の略中央部には、表示窓３０Ｗを構成する横長矩形の表示用開口３９Ｗが貫通形成されている。表示用開口３９Ｗの周縁部からは、後方に向かって囲壁３９Ｈが起立しており、その囲壁３９Ｈの後端開口が無色透明な保護プレート３９Ｐによって塞がれている。そして、後側固定ベース３９の後面に、液晶モジュール１００（図２を参照）が着脱可能に取り付けられ、液晶モジュール１００に備えた表示画面１０１が、表示用開口３９Ｗ（保護プレート３９Ｐ）に対面している。なお、表示画面１０１は保護プレート３９Ｐによって前側から覆われるので、遊技球が表示画面１０１に衝突することが防がれる。
【００５４】
後側固定ベース３９の両側部からは、敷設板３９Ｆが張り出している。また、後側固定ベース３９の上辺には、後側構成体３２と前側構成体３１とを連結固定するための連結孔３９Ｅが複数形成されている。
【００５５】
後側固定ベース３９のうち、図５における表示用開口３９Ｗの右側方（後側固定ベース３９の右側辺）には、役物収容凹所３９Ｙが陥没形成され、ここに、例えば、遊技状況に応じて駆動する電動役物（図示せず）が収容されている。また、図４及び図６に示すように、後側固定ベース３９のうち、役物収容凹所３９Ｙの後面側には、囲壁で囲まれた基板取付部Ｑが形成され、ここに電動役物を駆動制御する制御基板が取り付けられている。このように、電動役物を後側固定ベース３９に設けたので、電動役物を後側固定ベース３９と別個に設けた場合と比較して、遊技盤１１の後面のスペースを有効利用することができる。
【００５６】
ここで、本実施形態における電動役物は、例えば、所謂、反転板式の表示器である。詳細には、モータにより回転する回転軸と、この回転軸の周方向に回動可能に軸支された複数枚のパネルとで構成されている。パネルにはそれぞれ異なる演出図柄が描かれており、遊技状況に応じてモータが駆動し、回転軸が一定角度回転するとパネルが反転し、次のパネルに描かれている演出図柄が現れるようになっている。なお、電動役物は、上記構成に限るものではなく、例えば、発光素子を備えた電飾役物であってもよい。また、電動役物に代えて、遊技球が転動する遊技球転動役物を配置してもよい。以上が後側固定ベース３９の説明である。
【００５７】
後側固定ベース３９の前面側には、基板取付台板３８が取り付けられている。基板取付台板３８は、例えば、合成樹脂製で枠形構造をなす。詳細には、基板取付台板３８は、図５及び図６に示すように、全体として平板状をなすと共に、中央部からややずれた位置（図８における左下方寄り位置）に表示用開口３８Ｗが貫通形成されている。表示用開口３８Ｗは横長の矩形状をなし、その周縁部からは後側固定ベース３９に向かって囲壁３８Ｈが起立している（図６を参照）。囲壁３８Ｈの下辺上面には、表示枠体３０の内側領域に光を照射する複数のＬＥＤ３８Ｌが備えられている。そして、基板取付台板３８は、囲壁３８Ｈを後側固定ベース３９に形成された囲壁３９Ｈの内側に嵌合した状態で、周縁部の複数箇所が後側固定ベース３９にねじ止めされている。
【００５８】
図５に示すように、基板取付台板３８のうち、表示用開口３８Ｗの右側方に張り出した部分には、役物用開口３８Ｙが貫通形成されている。役物用開口３８Ｙは、縦長の矩形状をなし、役物収容凹所３９Ｙに収容された図示しない電動役物の前方に対向配置されている。なお、基板取付台板３８のうち、役物用開口３８Ｙの下方部分には、後側固定ベース３９に向かって起立した突壁３８Ｔが形成されている。この突壁３８Ｔは後側固定ベース３９の役物収容凹所３９Ｙに突入して、ＬＥＤ３８Ｌに接続されたケーブル（図示せず）を上方から覆って保護している。
【００５９】
基板取付台板３８のうち、表示用開口３８Ｗの上方に張り出した平板部分３８Ｇには、次述するＬＥＤ基板３７及び基板カバー３６が取り付けられ、この平板部分３８ＧによりＬＥＤ基板３７の後面が覆われている。平板部分３８Ｇには、ＬＥＤ基板３７及び基板カバー３６をねじ止めするための複数のねじ孔（図示せず）、ＬＥＤ基板３７に接続したケーブルを通すためのケーブル用孔３８Ｃが貫通形成されている。更に、前記した後側固定ベース３９の連結孔３９Ｅとの対向部分には連結孔３８Ｅが貫通形成されている。ここで、ケーブル用孔３８Ｃの開口広さは、ケーブルの端末に備えたコネクタよりも大きいので、ＬＥＤ基板３７を基板取付台板３８に固定したままで、ケーブルの着脱ができる。以上が、基板取付台板３８の説明である。
【００６０】
ＬＥＤ基板３７は、以下のようである。ＬＥＤ基板３７は、後述する電飾用透光部材３３Ａに対応した形状をなし、その前面側に本発明の「発光素子」に相当する複数のＬＥＤ３７Ａが実装されている。ＬＥＤ基板３７は、周縁部の複数箇所を貫通したねじによって基板取付台板３８に固定されている。また、ＬＥＤ３７Ａは、電飾用透光部材３３Ａとの対向領域の全体に亘って散在するように配置されている（図９を参照）。ＬＥＤ基板３７の後面には、他の電気部品（例えば、電源装置５８や発光制御装置５２等）と接続するためのケーブル（図示せず）がコネクタ接続され、このケーブルが、前記したようにケーブル用孔３８Ｃを通って基板取付台板３８の後側に引き出されている。また、図１０に示すように、ＬＥＤ基板３７は、基板取付台板３８の前面から浮いた状態で固定されており、これにより、ＬＥＤ基板３７が発する熱による基板取付台板３８の変形が防止されている。なお、本実施形態のＬＥＤ３７Ａは、発光部を内包した透明樹脂部材の発光面３７Ｂが平面状をなしている。
【００６１】
基板カバー３６は、以下のようである。基板カバー３６は、例えば、透明な合成樹脂（例えば、アクリル樹脂）で形成されている。基板カバー３６は、ＬＥＤ基板３７と略同一な平面形状をなした前面壁３６Ｇと、その周縁部から基板取付台板３８に向かって起立した囲壁３６Ｈとからなる。そして、基板カバー３６は、その周縁部の複数箇所を基板取付台板３８を貫通したねじで固定され、基板取付台板３８に固定された前記ＬＥＤ基板３７の前面及び側面を覆っている。
【００６２】
基板カバー３６の前面壁３６Ｇには、複数の第１光通過孔３６Ａが貫通形成されている。第１光通過孔３６Ａは、図８に示すように、ＬＥＤ３７Ａとの対向部分にそれぞれ１つずつ形成され、例えば、円形をなしている。第１光通過孔３６Ａの大きさ（開口広さ）は、ＬＥＤ３７Ａの発光面３７Ｂよりも大きくなっている（図１０を参照）。そして、ＬＥＤ３７Ａの光は、基板カバー３６の前面壁３６Ｇを透過せずに、第１光通過孔３６Ａの内部空間を通って基板カバー３６の外部に出射するようになっている。ここで、図１０に示すように、基板カバー３６は、ＬＥＤ基板３７の前面から浮いた状態で固定されており、ＬＥＤ３７Ａが第１光通過孔３６Ａの内側に突入しないようになっている。また、ＬＥＤ基板３７は、基板カバー３６及び基板取付台板３８によってほぼ全体が覆われて保護されているので、例えば、組み付け作業時に工具や作業者の手がＬＥＤ基板３７やＬＥＤ３７Ａに接触することが防がれ破損等を防止することができる。
【００６３】
上述した各部材３６〜３９を互いに組み付けてなる後側構成体３２は、遊技盤１１に貫通形成された遊技盤開口部（図示せず）に基板取付台板３８を突入させかつ、後側固定ベース３９の敷設板３９Ｆを遊技盤１１の後面に宛がった状態でねじ止めされている。以上が、後側構成体３２の説明である。
【００６４】
次に、前側構成体３１について主に図５〜図７を用いて説明する。前側構成体３１は、ランプカバー３３、前側固定ベース３４（本発明の「電飾用透光部材取付台板」に相当する）及び補強カバー３５（本発明の「第２カバー体」に相当する）から構成され、これら各部材を遊技機１０の前後方向に重ねて組み付けて形成されている。即ち、前側固定ベース３４、ランプカバー３３、及び、補強カバー３５によって形成されたサブアッシが、前側構成体３１の少なくとも一部を構成している。
【００６５】
前側固定ベース３４は、図５に示すように、横長の枠形構造をなしかつ、全体が遊技機１０で行われる演出（具体的には、表示画面１０１に表示される演出画像）に関連したデザイン形状となっている。また、前側固定ベース３４の周縁部からは、前側構成体３１を遊技盤１１に固定するための敷設板３４Ｆが側方に張り出している。
【００６６】
前側固定ベース３４のうち、図５における左側辺には、前記した遊技球転入路が形成されており、下辺部は前記した上側ステージ３４Ｊ及び下側ステージ３４Ｓを構成している。また、前側固定ベース３４のうち、前記ＬＥＤ基板３７の前方に対向配置された上辺部には、後述するランプカバー３３を取り付けるための取付凹所３４Ｋが形成され、この取付凹所３４Ｋの奥壁に形状の異なる複数の異形孔３４Ａが貫通形成されている（図６を参照）。
【００６７】
前側固定ベース３４の中央部からややずれた位置（図９における左下方寄り位置）には、前後方向に貫通した表示用開口３４Ｗ（本発明の「開口部」に相当する）が形成されている。表示用開口３４Ｗの上縁部からは、表示窓３０Ｗの窓枠上辺部を構成する壁体ｈ２が後方に起立しており、前側固定ベース３４の両側縁部からは、表示窓３０Ｗの窓枠側辺部を構成する壁体ｈ３，ｈ３が後方に起立している（図６を参照）。これら壁体ｈ２，ｈ３，ｈ３は、後述する補強カバー３５を貫通して、基板取付台板３８の囲壁３８Ｈの内側に嵌合している。なお、壁体ｈ２，ｈ３，ｈ３は、本発明の「開口内側壁」に相当する。
【００６８】
表示用開口３４Ｗの側方（図９における右側方）には、役物用開口３４Ｙが貫通形成されている。役物用開口３４Ｙは、前記基板取付台板３８に形成された役物用開口３８Ｙと略同一の縦長矩形状をなし、これら各役物用開口３４Ｙ，３８Ｙ同士が前後方向で整合している。
【００６９】
前側固定ベース３４の上辺の前面側には、ランプカバー３３が取り付けられている。ランプカバー３３は、例えば、前後方向に貫通した取付枠体３３Ｂに、合成樹脂製（より具体的には、ＡＢＳ樹脂製）の無色透明な電飾用透光部材３３Ａを嵌め込んで、取付枠体３３Ｂの前端開口を塞いだ構造をなす。また、これら電飾用透光部材３３Ａ及び取付枠体３３Ｂは、遊技機１０で行われる演出（具体的には、表示画面１０１に表示される演出画像）に関連したデザイン形状をなしている。ランプカバー３３は、前側固定ベース３４の取付凹所３４Ｋに嵌め込まれてねじ止めされている。このとき、ランプカバー３３に備えた電飾用透光部材３３Ａが、前側固定ベース３４に形成された異形孔３４Ａの前方に対向配置される。ここで、電飾用透光部材３３Ａは、例えば、その前面が滑らかな平面又は曲面をなす一方、後面は細かい凹凸形状をなしている。これにより、ＬＥＤ３６Ａの光は、電飾用透光部材３３Ａの後面で様々な方向に屈折して電飾用透光部材３３Ａを透過する。しかも、図９に示すように、ＬＥＤ３７Ａは、電飾用透光部材３３Ａとの対向領域の全体に亘って散在するように配置されているので、電飾用透光部材３３Ａの前面の全体を光らせることができる。なお、取付枠体３３Ｂは透光性を有しておらず、ＬＥＤ３７Ａの光は、ランプカバー３３の前面（電飾用透光部材３３Ａ）からのみ出射される。
【００７０】
さて、前側固定ベース３４の後面側には、補強カバー３５が組み付けられている。補強カバー３５は、例えば、無色透明な合成樹脂で形成され、全体として平板状をなしている。
【００７１】
詳細には、補強カバー３５は、その平面形状が前側固定ベース３４の後面と略同一形状をなしており、前側固定ベース３４の後面に宛がわれてねじ止めされている。ここで、前側固定ベース３４には表示用開口３４Ｗや複数の異形孔３４Ａが貫通形成されているため、これら表示用開口３４Ｗや異形孔３４Ａを備えてない構成と比較して剛性が低下するが、補強カバー３５を取り付けることで前側固定ベース３４を補強することができる。
【００７２】
図５に示すように、補強カバー３５の中央部からややずれた位置（図５における左下方寄り位置）には、表示用開口３５Ｗ（本発明の「開口部」に相当する）が貫通形成されている。この表示用開口３５Ｗの内側を、前側固定ベース３４から起立した３つの壁体ｈ２，ｈ３，ｈ３が貫通している。
【００７３】
また、補強カバー３５のうち、図５における表示用開口３５Ｗの右側方に張り出した平板部分は、電動役物を前方から覆う保護プレート３５Ｐをなしている。保護プレート３５Ｐは、前後方向で整合した２つの役物用開口３８Ｙ，３４Ｙの間に配置されて、それら役物用開口３８Ｙ，３４Ｙを閉塞している。
【００７４】
表示用開口３５Ｗの下辺部には、表示窓３０Ｗの窓枠下辺部を構成する壁体ｈ１が一体形成されている。壁体ｈ１は、表示用開口３５Ｗの下辺部から後方に起立しており、基板取付台板３８に形成された表示用開口３８Ｗに突入して、基板取付台板３８の下辺上面に設けられたＬＥＤ３８Ｌを上方から覆っている。
【００７５】
ここで、補強カバー３５を前側固定ベース３４の後面に宛がうと、補強カバー３５の壁体ｈ１と前側固定ベース３４の壁体ｈ２，ｈ３，ｈ３とで前側固定ベース３４の表示用開口３４Ｗが囲まれる。即ち、表示用開口３４Ｗを囲む４つの壁体のうち、３つは前側固定ベース３４の一部によって構成され、１つは補強カバー３５の一部によって構成されることになる。
【００７６】
また、壁体ｈ１の左右方向の中央部には、ワープ路Ｗｐの縦孔部３５Ｍとなる矩形凹所が陥没形成され、この矩形凹所の底部から前方に向かってレール３５Ｅが延設されている。レール３５Ｅは、補強カバー３５の前面よりも前に突出しており、前側固定ベース３４の後側から横孔部３４Ｍに突入している。
【００７７】
さて、補強カバー３５のうち、表示用開口３５Ｗの上方に張り出した平板部分３５Ｇには、複数の第２光通過孔３５Ａが貫通形成されている。第２光通過孔３５Ａは、ＬＥＤ基板３７に実装されたＬＥＤ３７Ａ及び、基板カバー３６に貫通形成された第１光通過孔３６Ａと前後方向で対向した部分に設けられている。即ち、ＬＥＤ３７Ａと第１光通過孔３６Ａと第２光通過孔３５Ａとが遊技機１０の前後方向で同軸上に並んで配置されている。更に、第２光通過孔３５Ａは、図７に示すように、前側固定ベース３４に形成された何れかの異形孔３４Ａに対向している。これにより、ＬＥＤ３７Ａの光が電飾用透光部材３３Ａに達するまでの光路が空間のみで形成される。また、図１０に示すように、第２光通過孔３５Ａの内径と第１光通過孔３６Ａの内径は同一であり、第１光通過孔３６Ａと第２光通過孔３５Ａは遊技機１０の前後方向で整合している。更に、本実施形態では、１つの第１光通過孔３６Ａとその第１光通過孔３６Ａに整合する１つの第２光通過孔３５Ａとが１つのＬＥＤ３７Ａにのみ対向するように構成されているので、第１光通過孔３６Ａと第２光通過孔３５Ａの大きさ（開口広さ）を必要最小限にすることができる。従って、第１光通過孔３６Ａ及び第２光通過孔３５Ａを設けたことに伴う、基板カバー３６自体及び補強カバー３５自体の強度低下を最小限に抑えることができる。ここで、第２光通過孔３５Ａの内径を第１光通過孔３６Ａの内径と同一以上とすれば、補強カバー３５の取付位置が正規の位置から若干ずれたとしても、第１光通過孔３６Ａと第２光通過孔３５Ａとを前後方向で連通させることができる。
【００７８】
上記した各部材３３〜３５により構成された前側構成体３１は、前側固定ベース３４の敷設板３４Ｆよりも後側部分を、遊技盤１１に貫通形成された遊技盤開口部（図示せず）に突入させかつ、敷設板３４Ｆを遊技盤１１の前面に宛がった状態でねじ止めされている。このとき、補強カバー３５の平板部分３５Ｇから後方に起立した複数の連結柱３５Ｅ（図６を参照）が、後側構成体３２の基板取付台板３８及び後側固定ベース３９の各連結孔３８Ｅ，３９Ｅを貫通する。そして、これら連結孔３８Ｅ，３９Ｅを貫通した連結柱３５Ｅの先端部にねじを締め付けることで、前側構成体３１と後側構成体３２とが一体に固定される。
【００７９】
そして、前側構成体３１と後側構成体３２とを一体化してなる表示枠体３０は、前側固定ベース３４、補強カバー３５、基板取付台板３８、後側固定ベース３９にそれぞれ貫通形成された表示用開口３４Ｗ，３５Ｗ，３８Ｗ，３９Ｗが前後に連通して表示窓３０Ｗを構成し、その表示窓３０Ｗの奥部に配置された保護プレート３９Ｐを通して液晶モジュール１００に備えた表示画面１０１が視認可能となっている。また、前側固定ベース３４、基板取付台板３８、補強カバー３５に形成された役物用開口３４Ｙ，３８Ｙ及び保護プレート３５Ｐを通して電動役物が視認可能となっている。
【００８０】
本実施形態の遊技機１０に関する構成は以上であり、以下動作について説明する。操作ノブ２８を操作して、遊技球が遊技盤１１の遊技領域Ｒ１における上方部分に弾き出されると、それら遊技球は、風車１７や障害釘等に当たって向きを変えられ、ランダムな経路を通って遊技領域Ｒ１の下方に向かう。
【００８１】
遊技球が、流下する途中で始動ゲート１８を通過すると、表示画面１０１において普通図柄の変動表示が開始される。そして、普通図柄を所定時間に亘って変動表示した後、所定の数字図柄で停止表示する。ここで、停止表示した普通図柄が奇数のぞろ目の場合には、可動翼片１４Ｃ，１４Ｃが横に倒れ、始動入賞口１４に入球し易くなる。
【００８２】
始動入賞口１４に入球すると、その遊技球は遊技盤１１の裏側に取り込まれ、代わりに所定数（例えば、１０個）の賞球が上皿２７Ａに払い出されると共に、表示画面１０１において、特別図柄のスクロール表示が開始される。すると、表示枠体３０や装飾ランプ９６、サイドランプ２２，２２が所定のタイミング（例えば、スピーカ５９Ｓから発生するＢＧＭに合わせて）で点灯と消灯を繰り返す。
【００８３】
特別図柄は、所定時間に亘ってスクロール表示された後で、１つずつ順次に停止表示される。そして、停止表示された３つの特別図柄が、ぞろ目になると、可動扉１５Ｔが所定期間に亘って前側に倒れて大入賞口１５が開放し、遊技球が可動扉１５Ｔを案内にして大入賞口１５に入球可能となる。大入賞口１５に遊技球が入球すると、その遊技球は遊技盤１１の裏側に取り込まれ、代わりに所定数（例えば、１５個）の賞球が上皿２７Ａに払い出される。このときも、表示枠体３０や装飾ランプ９６、サイドランプ２２，２２が所定のタイミングで点灯と消灯を繰り返す。
【００８４】
ところで、表示枠体３０に備えたＬＥＤ３７Ａからの光は、以下のようにして遊技機１０の前方に照射される。即ち、ＬＥＤ３７Ａが点灯すると、その光は、図１０に示すように、基板カバー３６の第１光通過孔３６Ａ、補強カバー３５の第２光通過孔３５Ａ、前側固定ベース３４の異形孔３４Ａを通過してランプカバー３３の内側に進入し、ランプカバー３３の内側空間を通って、電飾用透光部材３３Ａの後面に直接照射される。つまり、ＬＥＤ３７Ａの光は、電飾用透光部材３３Ａに到達するまでの間に、何らかの部材を透過することなく、空間のみで形成された光路を通る。従って、電飾用透光部材３３Ａに到達するまでの間に何らかの部材を透過することによる光の強度低下が防がれる。
【００８５】
そして、電飾用透光部材３３Ａに到達した光は、その後面で様々に屈折して電飾用透光部材３３Ａの内部を透過し、電飾用透光部材３３Ａの前面から遊技機１０の前方に照射される。ここで、ＬＥＤ３７Ａは、電飾用透光部材３３Ａとの対向領域全体に亘って散在しているので、遊技者側からは、電飾用透光部材３３Ａの前面全体が光っているように見える。
【００８６】
このように本実施形態によれば、ＬＥＤ３７Ａと電飾用透光部材３３Ａとの間に、基板カバー３６及び補強カバー３５を設けても、ＬＥＤ３７Ａの光はそれらカバー３５，３６に貫通形成された第１光通過孔３６Ａ及び第２光通過孔３５Ａの内部空間を通るので、カバー３５，３６を透過することによるＬＥＤ３７Ａの光の強度低下が生じない。換言すれば、ＬＥＤ３７の光の強度低下を回避しつつ、ＬＥＤ３７と電飾用透光部材３３Ａとの間に、前側固定ベース３４を補強する補強カバー３５や、ＬＥＤ基板３７を保護する基板カバー３６を設けることができるので、電飾装置としての表示枠体３０の設計の自由度が高まる。
【００８７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）上記実施形態では、パチンコ遊技機に本発明を適用していたが、電飾装置を備えた遊技機であれば、他の遊技機（例えば、スロットマシン）に適用してもよい。
【００８８】
（２）上記実施形態では、表示枠体３０に本発明を適用していたが、例えば、装飾ランプ９６やサイドランプ２２，２２に本発明を適用してもよい。
【００８９】
（３）上記実施形態では、後側固定ベース３９と基板取付台板３８とを別部材で構成していたが、これらを一体形成してもよい。
【００９０】
（４）上記実施形態では、電飾用透光部材３３Ａの後面を凹凸形状としていたが、滑らかな平面又は曲面としてもよい。また、電飾用透光部材を、前側に配置される第１の電飾用透光部材と、その後側に重ねて配置される第２の電飾用透光部材とからなる二層構造としてもよい。
【００９１】
（５）上記実施形態では、本発明に係る発光素子の一例としてＬＥＤ３７Ａを例示したが、他の発光素子、例えば、電球やエレクトロルミネッセンスでもよい。
【００９２】
（６）上記実施形態では、基板カバー３６及び補強カバー３５を無色透明としたが、光を透過させない部材で構成してもよい。
【００９３】
（７）上記実施形態では、第１光通過孔３６Ａ及び第２光通過孔３５Ａの形状を円形としていたが、大きさ（開口広さ）がＬＥＤ３７Ａの発光面３７Ｂよりも大きければよく、形状は特に円形に限定するものではない。
【図面の簡単な説明】
【００９４】
【図１】本発明の一実施形態に係るパチンコ遊技機の正面図
【図２】パチンコ遊技機の背面図
【図３】表示枠体の斜視図
【図４】表示枠体の斜視図
【図５】表示枠体の分解斜視図
【図６】表示枠体の分解斜視図
【図７】前側構成体の背面図
【図８】後側構成体の正面図
【図９】表示枠体の正面図
【図１０】表示枠体の部分断面図
【図１１】従来の遊技機に備えられた電飾装置
【符号の説明】
【００９５】
１０    パチンコ遊技機
３０    表示枠体（電飾装置）
３３Ａ    電飾用透光部材
３４    前側固定ベース（電飾用透光部材取付台板）
３４Ｗ    表示用開口（開口部）
３５    補強カバー（第２カバー体）
３５Ａ    第２光通過孔
３５Ｗ    表示用開口（開口部）
３６    基板カバー（第１カバー体）
３６Ａ    第１光通過孔
３７    ＬＥＤ基板（制御基板）
３７Ａ    ＬＥＤ（発光素子）
３８    基板取付台板（制御基板取付台板）
１００    液晶モジュール（表示装置）
１０１    表示画面（表示領域）
ｈ１，ｈ２，ｈ３    壁体（開口内側壁）
【図１】
2006320371.tif 000003
【図２】
2006320371.tif 000004
【図３】
2006320371.tif 000005
【図４】
2006320371.tif 000006
【図５】
2006320371.tif 000007
【図６】
2006320371.tif 000008
【図７】
2006320371.tif 000009
【図８】
2006320371.tif 000010
【図９】
2006320371.tif 000011
【図１０】
2006320371.tif 000012
【図１１】
2006320371.tif 000013